(57)【要約】    【課題】  アイドル回転速度をなるべく低く抑制しつつ、バッテリへの充電電流の不足を防止できるエンジンのアイドル回転速度制御装置を提供する。    【解決手段】  オルタネータの発電電流を検出する一方、アイドル回転速度に基づいて目標増加判定閾値及び目標低下判定閾値を設定する。そして、発電電流が目標増加判定閾値以上であるときには、目標アイドル回転速度を所定速度Ｎealtだけ増大修正し、発電電流が目標低下判定閾値以下であるときには、目標アイドル回転速度を所定速度Ｎealtだけ減少修正し、発電電流が目標増加判定閾値と目標低下判定閾値とで挟まれる領域内となるアイドル回転速度に設定する。【選択図】  図２
2005171906.tif 000002
【特許請求の範囲】
【請求項１】
エンジンのアイドル回転速度を目標アイドル回転速度に制御するエンジンのアイドル回転速度制御装置であって、
前記エンジンで駆動されるオルタネータの発電状態を示すパラメータを検出する一方、そのときのアイドル回転速度に基づいて前記パラメータの閾値を設定し、前記検出したパラメータと前記閾値との比較に基づいて前記目標アイドル回転速度を変更することを特徴とするエンジンのアイドル回転速度制御装置。
【請求項２】
前記オルタネータの発電状態を示すパラメータとして、前記オルタネータの発電電流を検出することを特徴とする請求項１記載のエンジンのアイドル回転速度制御装置。
【請求項３】
前記オルタネータの発電状態を示すパラメータとして、電気負荷に相当する空気量を演算することを特徴とする請求項１記載のエンジンのアイドル回転速度制御装置。
【請求項４】
前記オルタネータの温度に応じて前記閾値を変更することを特徴とする請求項１〜３のいずれか１つに記載のエンジンのアイドル回転速度制御装置。
【請求項５】
前記閾値として、目標増加判定閾値と、該目標増加判定閾値よりも小さい目標低下判定閾値とを設定し、
前記パラメータが目標増加判定閾値以上であるときに、前記目標アイドル回転速度を所定値だけ増大させ、
前記パラメータが目標低下判定閾値以下であるときに、前記目標アイドル回転速度を所定値だけ低下させることを特徴とする請求項１〜４のいずれか１つに記載のエンジンのアイドル回転速度制御装置。
【請求項６】
前記パラメータが目標増加判定閾値以上である状態が所定時間以上継続したときに、前記目標アイドル回転速度を所定値だけ増大させ、
前記パラメータが目標低下判定閾値以下である状態が所定時間以上継続したときに、前記目標アイドル回転速度を所定値だけ低下させることを特徴とする請求項６記載のエンジンのアイドル回転速度制御装置。
【請求項７】
前記目標アイドル回転速度を増減させる所定値を、機関の低回転域でより大きく高回転域でより小さく変更することを特徴とする請求項５又は６記載のエンジンのアイドル回転速度制御装置。
【発明の詳細な説明】
【技術分野】
【０００１】
本発明は、エンジンのアイドル回転速度を目標アイドル回転速度に制御するエンジンのアイドル回転速度制御装置に関し、詳しくは、電気負荷に応じて目標アイドル回転速度を設定する技術に関する。
【背景技術】
【０００２】
特許文献１には、オルタネータの発電電流を切り替える際に生じる負荷変動による回転変動を防止するために、オルタネータの発電電流とバッテリの消費電流とに基づき、アイドル運転時の吸入空気量を設定する構成が開示されている。
また、特許文献２には、オルタネータの出力電流が所定値以下であるときに、オルタネータの発電をカットし、負荷電流が所定値以上になると前記発電カットを解除する構成が開示されている。
【特許文献１】特開平０７−１０３０１０号公報
【特許文献２】特開平０５−２９２６７８号公報
【発明の開示】
【発明が解決しようとする課題】
【０００３】
ところで、無負荷のアイドル運転状態からヘッドランプなどの電気負荷がＯＮになったときに、一定の回転速度だけアイドル回転速度を上昇させる構成では、たとえオルタネータの発電能力以内の負荷電流であったとしても、アイドル回転速度が上昇されることになるため、アイドル運転時の燃費を低下させてしまうという問題があった。
また、電気負荷がＯＮになったときに一定の回転速度だけアイドル回転速度を上昇させる構成では、電気負荷が多くオルタネータの発電能力を超える場合でも、アイドル回転速度を更に増大させることがないため、バッテリへの充電電流が不足するようになって、バッテリ電圧が大きく低下する可能性があるという問題があった。
【０００４】
更に、オルタネータの発電能力は、回転速度に応じて二次的に増加するため、発電能力の上限で運転した場合、電気負荷の投入に伴って回転速度が低下すると、回転速度の低下による発電電流の低下と共にオルタネータの駆動負荷が低下し、その反動で回転速度が上昇すると、発電電流の増加に伴ってオルタネータの駆動負荷が増大して回転速度が低下し、以後、回転速度の増加・低下を交互に繰り返し、アイドル回転速度がハンチングするようになってしまうという問題があった。
【０００５】
本発明は上記問題点に鑑みなされたものであり、電気負荷の状態変化に応じて、オルタネータの発電能力を超えない範囲内で適切にアイドル回転速度を設定でき、以って、アイドル回転速度をなるべく低く抑制しつつ、バッテリへの充電電流の不足を防止できるエンジンのアイドル回転速度制御装置を提供することを目的とする。
【課題を解決するための手段】
【０００６】
そのため、本発明では、エンジンで駆動されるオルタネータの発電状態を示すパラメータを検出する一方、そのときのアイドル回転速度に基づいて前記パラメータの閾値を設定し、前記検出したパラメータと前記閾値との比較に基づいて目標アイドル回転速度を変更する構成とした。
【発明の効果】
【０００７】
かかる構成によると、オルタネータの発電状態と回転速度で変化するオルタネータの発電能力との対比から目標アイドル回転速度を決定するので、電気負荷の状態に応じてアイドル回転速度を最適化でき、アイドル回転速度を低く抑えてアイドル運転時の燃費を向上させ、また、バッテリへの充電電流を確保し、更に、オルタネータの発電能力の限界付近を使用することによるアイドル回転速度のハンチングを防止できる。
【発明を実施するための最良の形態】
【０００８】
以下に本発明の実施の形態を図に基づいて説明する。
図１は、実施形態における車両用エンジンのシステム構成図である。
図１において、エンジン１には、スロットルモータ２で駆動されるスロットルバルブ３を介して空気が吸引される一方、各気筒別に設けられる燃料噴射弁４によって燃料が噴射されることで、燃焼室内に混合気が形成される。
【０００９】
前記混合気は、図示省略した点火プラグの火花点火によって着火燃焼し、この混合気の燃焼・爆発によってピストンを往復動させることで、車両の駆動力を得る。
マイクロコンピュータを内蔵するエンジンコントロールユニット（ＥＣＵ）１１は、各種センサからの検出信号を入力し、前記検出信号を演算処理することで、前記スロットルモータ２，燃料噴射弁４などに制御信号を出力する。
【００１０】
前記各種センサとしては、スロットルバルブ３の上流側でエンジン１の吸入空気量を検出するエアフローメータ１２、前記スロットルバルブ３の開度を検出するスロットルセンサ１３、前記エンジン１で駆動されるオルタネータ５の発電電流を検出する電流センサ１４、前記オルタネータ５の温度（コイル部分の温度）を検出するオルタネータ温度センサ１５、エンジン１の回転速度を検出する回転センサ１６、エンジン１の冷却水温度を検出する水温センサ１７、前記エンジン１と組み合わされる変速機のシフト位置がニュートラルであるか否かを検出するニュートラルスイッチ１８、エンジン１のアイドル運転状態を検出するアイドルスイッチ１９が設けられている。
【００１１】
また、前記エンジンコントロールユニット１１には、ヘッドランプ，リアデフォッガ，フォグランプ，ブロアファンなどの各種電気負荷２０からそれぞれのＯＮ・ＯＦＦ信号が入力される。
前記エンジンコントロールユニット１１は、アイドル回転速度の制御機能が備えられており、エンジン１のアイドル運転時に、実際のエンジン回転速度を目標アイドル回転速度に一致させるべく、前記スロットルモータ２（スロットルバルブ３の開度）をフィードバック制御する。
【００１２】
ここで、前記エンジンコントロールユニット１１によるアイドル回転速度制御機能における目標アイドル回転速度の設定処理を、図２のフローチャートに従って説明する。
尚、前記図２のフローチャートに示すルーチンは、所定微小時間毎に実行されるものとする。
図２のフローチャートにおいて、ステップＳ１では、アイドルスイッチ，水温などの各種検出信号を読み込む。
【００１３】
ステップＳ２では、基本目標アイドル回転速度Ｎset0を、水温や変速機の変速レンジに応じて設定する。
ステップＳ３では、アイドル回転速度のフィードバック制御条件が成立しているか否かを判別する。
エンジン１のアイドル運転時であって前記フィードバック制御条件が成立していると判断されると、ステップＳ４へ進む。
【００１４】
ステップＳ４では、前記電流センサ１４で検出されたオルタネータ５の発電電流（Ａ）を読み込む。
ステップＳ５では、そのときのアイドル回転速度に基づいて、前記発電電流と比較するための目標増加判定閾値（Ａ）及び目標低下判定閾値（Ａ）を設定する。
前記目標増加判定閾値，目標低下判定閾値は、図３に示すように、アイドル回転速度の増大に応じて二次的に増加するオルタネータ５の発電能力と同様に、アイドル回転速度の増大に応じて二次的に増加する特性を有する一方、共に発電能力の上限よりも低く、かつ、目標増加判定閾値＞目標低下判定閾値となるように、予め設定されている。
【００１５】
ステップＳ６では、前記ステップＳ４で読み込んだオルタネータ５の発電電流が前記目標増加判定閾値以上であるか否かを判別する。
そして、前記オルタネータ５の発電電流が前記目標増加判定閾値以上であるときには、ステップＳ７へ進み、発電電流≧目標増加判定閾値の状態が所定時間以上継続しているか否かを判定することで、発電電流の一次的な変動ではなく、安定して発電電流≧目標増加判定閾値になっているか否かを判別する。
【００１６】
ステップＳ７で、発電電流≧目標増加判定閾値の状態が所定時間以上継続していると判断されたときには、オルタネータ５の発電能力に対して実際の発電電流が大き過ぎる（発電能力の上限に近すぎる）と判断し、ステップＳ８へ進む。
ステップＳ８では、目標アイドル回転速度Ｎsetを前回値Ｎsetoldに対して所定速度Ｎealtだけ増大させる設定を行なう。
【００１７】
尚、前記前回値Ｎsetoldの初期値は、前記基本目標アイドル回転速度Ｎset0である。
また、前記前回値Ｎsetoldに対して増大補正する所定速度Ｎealtは、一定値（例えば２５rpm）であっても良いし、低回転域でより大きく高回転域でより小さく変更しても良い。更に、オルタネータ５の発電電流と目標増加判定閾値，目標低下判定閾値との偏差に応じて、前記所定速度Ｎealtを変化させることもできる。
【００１８】
目標アイドル回転速度Ｎsetを増大変更してアイドル回転速度が高くなれば、オルタネータ５の発電能力がより高くなり、発電能力が高くなることで、許容される発電電流（目標増加判定閾値）が高くなる。
従って、目標アイドル回転速度Ｎsetの増大補正は、前記オルタネータ５の発電電流が前記目標増加判定閾値を下回るようになる方向に目標アイドル回転速度Ｎsetを変更することになる。
【００１９】
オルタネータ５の発電電流が目標増加判定閾値よりも小さくなれば、オルタネータ５の発電能力の上限に対して実際の発電電流が充分に小さいことになり、バッテリへの充電電流が不足することを回避でき、かつ、上限付近で運転することによるアイドル回転速度のハンチングを防止できる（図４参照）。
ここで、次回の本ルーチン実行時にも、ステップＳ６でオルタネータ５の発電電流が前記目標増加判定閾値以上であると判断されると、再度ステップＳ８へ進んで更に目標アイドル回転速度Ｎsetを増大補正することで、オルタネータ５の発電能力をより高くし、オルタネータ５の発電電流が目標増加判定閾値よりも小さくなるまで、目標アイドル回転速度Ｎsetの増大補正を繰り返す。
【００２０】
そして、オルタネータ５の発電電流が目標増加判定閾値よりも小さくなった時点で、ステップＳ６からステップＳ９へ進むことで、目標アイドル回転速度Ｎsetの増大補正を停止させる。
従って、過剰に高い目標に設定されて、アイドル燃費が低下することが回避される。
ステップＳ６で発電電流が目標増加判定閾値よりも小さいと判断されると、ステップＳ９へ進み、今度は、オルタネータ５の発電電流が目標低下判定閾値以下であるか否かを判別する。
【００２１】
そして、オルタネータ５の発電電流が目標低下判定閾値以下であると判別されると、ステップＳ１０へ進み、オルタネータ５の発電電流が目標低下判定閾値以下である状態が所定時間以上継続しているか否かを判別する。
オルタネータ５の発電電流が目標低下判定閾値以下である状態に安定しているときには、ステップＳ１１へ進む。
【００２２】
ステップＳ１１では、目標アイドル回転速度Ｎsetを前回値Ｎsetoldに対して所定速度Ｎealtだけ減少させる設定を行なう。
目標アイドル回転速度Ｎsetを減少変更してアイドル回転速度が低くなれば、オルタネータ５の発電能力が低下し、目標低下判定閾値もより低くなる。
従って、目標アイドル回転速度Ｎsetの減少補正は、前記オルタネータ５の発電電流が前記目標低下判定閾値を上回るようになる方向に目標アイドル回転速度Ｎsetを変更することになる。
【００２３】
オルタネータ５の発電電流が目標低下判定閾値以下である場合は、そのときのアイドル回転速度におけるオルタネータ５の発電能力に対して、実際のオルタネータ５の発電電流が低すぎて、過剰な能力を発揮し得る無駄に高い目標アイドル回転速度Ｎsetが設定されていることになる。
そこで、オルタネータ５の発電電流が目標低下判定閾値を超えるようになるまで、目標アイドル回転速度Ｎsetの減少変更を繰り返して、目標アイドル回転速度Ｎsetを最小限に抑制する。
【００２４】
そして、オルタネータ５の発電電流が目標増加判定閾値よりも小さく、かつ、目標低下判定閾値を超えるようになると、目標アイドル回転速度Ｎsetを前回値に保持させる。
上記制御によって、オルタネータ５の発電電流が、目標増加判定閾値と目標低下判定閾値とで挟まれる範囲内になるように、目標アイドル回転速度Ｎsetが修正されることになる。
【００２５】
そして、前記目標増加判定閾値と目標低下判定閾値とで挟まれる範囲内であれば、バッテリへの充電電流を確保しつつ、アイドル回転速度を最小限に抑制してアイドル燃費を向上させることができ、更に、発電能力の上限付近で運転されることが回避されるから、アイドル回転速度のハンチングも防止できる。
図５は、上記実施形態における各種電気負荷のＯＮ・ＯＦＦの組み合わせに対する目標アイドル回転速度，オルタネータ発電電流の変化特性を示すものであり、ＯＮされる電気負荷の数が多くなり、オルタネータ５の発電電流が増えるに従って、目標アイドル回転速度が増大修正され、ＯＮ状態であった電気負荷がＯＦＦされオルタネータ５の発電電流が低下すると、目標アイドル回転速度が減少修正される。
【００２６】
尚、図５では、オルタネータ５の発電電流の増大に対して直ぐに目標アイドル回転速度Ｎsetを増大修正するように記載してあるが、実際にステップＳ７，ステップＳ１０のディレイ処理を省略しても良い。
前記目標アイドル回転速度の修正においては、図６に示すように、そのときのアイドル回転速度に応じて設定される目標増加判定閾値，目標低下判定閾値で挟まれる領域内に、オルタネータ５の発電電流が含まれるように、目標アイドル回転速度Ｎsetが設定されるから、アイドル回転速度が過大に設定されることがなく、かつ、オルタネータ５の発電能力の上限で運転されることが回避される。
【００２７】
図６における数値は、図５の電気負荷変化のステップを示す数値に対応しており、電気負荷の変化に対して、発電電流が目標増加判定閾値，目標低下判定閾値で挟まれる領域内に位置する状態を保持するように、アイドル回転速度が修正される様子を示す。
尚、上記実施形態では、オルタネータ５の発電電流が、前記目標増加判定閾値と目標低下判定閾値とで挟まれる範囲外であるときに、目標アイドル回転速度Ｎsetを所定値Ｎealtずつ徐々に変化させ、次回も前記範囲外であるときには、目標アイドル回転速度Ｎsetの増減を繰り返すようにしたが、前記オルタネータ５の発電電流が前記目標増加判定閾値よりも小さい値になるアイドル回転速度にまで、又は、前記オルタネータ５の発電電流が前記目標低下判定閾値よりも大きい値になるアイドル回転速度にまで、一度に目標アイドル回転速度Ｎsetをステップ変化させる構成とすることができる。
【００２８】
但し、目標アイドル回転速度Ｎsetをステップ的に大きく変化させると、回転変動が大きくなるため、目標アイドル回転速度Ｎsetを徐々に変化させる方が好ましい。
上記図２のフローチャートに示す実施形態では、電流センサ１４によって検出されるオルタネータ５の発電電流に基づいて、オルタネータ５の発電状態を検出する構成としたが、各種電気負荷の状態からオルタネータ５の発電状態を判断することができ、係る構成とした第２の実施形態を、図７のフローチャートに従って説明する。
【００２９】
図７のフローチャートにおいて、ステップＳ２１〜ステップＳ２３では、前記ステップＳ１〜ステップＳ３と同様に、各種信号を読み込み、基本目標アイドル回転速度Ｎset0を設定し、アイドル回転速度のフィードバック制御条件が成立しているか否かを判別する。
そして、アイドル回転速度のフィードバック制御条件が成立している場合には、ステップＳ２４へ進む。
【００３０】
ステップＳ２４では、各種電気負荷のＯＮ・ＯＦＦ信号を読み込む。
ステップＳ２５では、ＯＮされている電気負荷に見合うアイドル吸入空気量の補正空気量Ｑldalt（Ｌ／min）を算出する。
前記補正空気量Ｑldaltは、電気負荷毎に予め設定されている補正空気量を、ＯＮされている電気負荷について積算して求めるものであり、例えば、ヘッドランプ，リアデフォッガがＯＮされている場合には、ヘッドランプに対応する補正空気量Ａと、リアデフォッガに対応する補正空気量Ｂとを加算した結果を、前記補正空気量Ｑldalt（Ｑldalt＝Ａ＋Ｂ）とする。
【００３１】
前記補正空気量Ａは、ヘッドランプの消費電流を発電させるためのオルタネータの駆動負荷を、エンジン１で発生させるために要する空気量であり、同様に、電気負荷毎に予め補正空気量が記憶されている。
ステップＳ２６では、そのときのアイドル回転速度に基づいて、前記補正空気量Ｑldaltと比較するための目標増加判定閾値（Ｌ／min）及び目標低下判定閾値（Ｌ／min）を設定する。
【００３２】
前記目標増加判定閾値，目標低下判定閾値は、図８に示すように、アイドル回転速度の増大に応じて二次的に増加するオルタネータ５の発電能力と同様に、アイドル回転速度の増大に応じて二次的に増加する特性を有する一方、発電能力の上限での発電電流が必要とされる電気負荷状態に相当する空気量よりも低く設定され、かつ、目標増加判定閾値＞目標低下判定閾値となるように、予め設定されている。
【００３３】
次のステップＳ２７では、前記補正空気量Ｑldaltが前記目標増加判定閾値以上であるか否かを判別し、Ｑldalt≧前記目標増加判定閾値であるときには、更に、ステップＳ２８へ進んで、その状態が所定時間以上継続しているか否かを判別する。
そして、Ｑldalt≧前記目標増加判定閾値の状態で安定しているときには、そのときのアイドル回転速度でのオルタネータ５の発電能力に対して、電気負荷が大きすぎると判断されるので、ステップＳ２９へ進んで、目標アイドル回転速度Ｎsetを前回値Ｎsetoldに対して所定速度Ｎealtだけ増大させる設定を行なう。
【００３４】
一方、前記補正空気量Ｑldaltが前記目標増加判定閾値よりも小さい場合には、ステップＳ３０へ進んで、前記補正空気量Ｑldaltが前記目標低下判定閾値以下であるか否かを判別する。
そして、前記補正空気量Ｑldaltが前記目標低下判定閾値以下であるときには、更に、ステップＳ２８へ進んで、その状態が所定時間以上継続しているか否かを判別する。
【００３５】
そして、Ｑldalt≦前記目標低下判定閾値の状態で安定しているときには、そのときのアイドル回転速度でのオルタネータ５の発電能力が、電気負荷に対して過大であると判断されるので、ステップＳ３０へ進んで、目標アイドル回転速度Ｎsetを前回値Ｎsetoldに対して所定速度Ｎealtだけ低下させる設定を行なう。
前記補正空気量Ｑldaltが、前記目標増加判定閾値と目標低下判定閾値とで挟まれる範囲外であるときには、前記目標アイドル回転速度Ｎsetの修正処理を繰り返し、前記補正空気量Ｑldaltが、前記目標増加判定閾値と目標低下判定閾値とで挟まれる範囲内になるようにする。
【００３６】
前記補正空気量Ｑldaltが、前記目標増加判定閾値と目標低下判定閾値とで挟まれる範囲内であるときには、オルタネータ５の発電能力の上限に対して余裕があり、バッテリへの充電電流を確保できると共に、アイドル回転速度が最小限に抑制されてアイドル運転時の燃費を向上させることができる。
図９は、各種電気負荷のＯＮ・ＯＦＦの組み合わせに対する目標アイドル回転速度Ｎset，補正空気量Ｑldaltの変化を示すものであり、ＯＮされる電気負荷の数が多くなり、電気負荷の総和に相当する前記補正空気量Ｑldaltが大きくなるに従って、目標アイドル回転速度Ｎsetが増大修正され、ＯＮ状態であった電気負荷がＯＦＦされて前記補正空気量Ｑldaltが低下すると、目標アイドル回転速度Ｎsetが減少修正される。
【００３７】
尚、図９に示すディレイ時間は、ステップＳ２８，ステップＳ３１の判断における所定時間に相当する。
前記目標アイドル回転速度Ｎsetの修正においては、図１０に示すように、そのときのアイドル回転速度に応じて設定される目標増加判定閾値，目標低下判定閾値で挟まれる領域内に、電気負荷の総和に相当する補正空気量Ｑldaltが含まれるようにするから、アイドル回転速度が過大に設定されることがなく、かつ、オルタネータ５の発電能力の上限で運転されることが回避される。
【００３８】
尚、上記補正空気量Ｑldaltに基づき目標アイドル回転速度Ｎsetを変更する実施形態においても、目標増加判定閾値，目標低下判定閾値で挟まれる領域内に、電気負荷の総和に相当する補正空気量Ｑldaltが一度に入るように、目標アイドル回転速度Ｎsetをステップ変化させることができる。
ところで、オルタネータ５の発電能力は、図１１に示すように、温度（内部のコイル温度）によって変化するため、前記発電電流（Ａ），補正量Ｑldalt（Ｌ／min）と比較させる前記目標増加判定閾値，目標低下判定閾値を、図１２及び図１３に示すように、オルタネータ温度センサ１５で検出されるオルタネータ５の温度（コイル温度）に応じて変更することが好ましい。
【００３９】
図１２及び図１３に示す例では、オルタネータ温度センサ１５で検出されるオルタネータ５の温度（コイル温度）と、閾値とを比較することで、オルタネータ５の温度状態を低温時と高温時とに分け、低温時には、高温時よりも高い目標増加判定閾値，目標低下判定閾値が設定されるようにしてある。
低温時には、図１１に示すように、発電能力が高くなるから、目標増加判定閾値，目標低下判定閾値を高温時に比べて高く設定することで、より低い目標アイドル回転速度Ｎsetが設定される。
【００４０】
尚、オルタネータ５温度（コイル温度）に応じて目標増加判定閾値，目標低下判定閾値をリニアに変化させても良いことは明らかである。
オルタネータ５の温度によって目標増加判定閾値，目標低下判定閾値を変更しない場合には、外気温度やオルタネータ５の使用環境による温度ばらつきがあっても、バッテリへの充電電流が不足することがないように、発電能力が低下する高温時に適合した目標増加判定閾値，目標低下判定閾値を設定し、目標アイドル回転速度Ｎsetを高めに設定させる必要が生じる。
【００４１】
これに対して、オルタネータ５の温度（コイル温度）に応じて目標増加判定閾値，目標低下判定閾値を変更する構成とすれば、低温時にはよりアイドル回転速度を低下させることが可能となり、アイドル回転速度をより低く抑制して、燃費向上を図ることができる。
尚、オルタネータ５の温度を温度センサ１５で検出させる代わりに、環境温度を検出し、該環境温度に応じて前記目標増加判定閾値，目標低下判定閾値を変更させる構成としても良い。
【００４２】
また、上記実施形態では、スロットルバルブ３の開度を制御することで、アイドル時の吸入空気量を制御する構成としたが、スロットルバルブ３をバイパスするバイパス通路を通過する空気量を制御することで、アイドル時の吸入空気量を制御する構成であっても良い。
【図面の簡単な説明】
【００４３】
【図１】実施形態における車両用エンジンのシステム構成図。
【図２】目標アイドル回転速度の設定処理の第１実施形態を示すフローチャート。
【図３】第１実施形態における目標増加判定閾値，目標低下判定閾値の特性を示す線図。
【図４】第１実施形態に従って目標アイドル回転速度を設定した場合のアイドル回転速度の変化特性を示すタイムチャート。
【図５】第１実施形態における電気負荷の変化に対するオルタネータ発電電流，目標アイドル回転速度の変化を示すタイムチャート。
【図６】図５に示すオルタネータ発電電流の変化を、目標増加判定閾値，目標低下判定閾値との相関で示す線図。
【図７】目標アイドル回転速度の設定処理の第２実施形態を示すフローチャート。
【図８】第２実施形態における目標増加判定閾値，目標低下判定閾値の特性を示す線図。
【図９】第２実施形態における電気負荷の変化に対する補正空気量，目標アイドル回転速度の変化を示すタイムチャート。
【図１０】図９に示す補正空気量の変化を、目標増加判定閾値，目標低下判定閾値との相関で示す線図。
【図１１】オルタネータ温度とオルタネータ発電電流との相関を示す線図。
【図１２】第１実施形態に適用される目標増加判定閾値，目標低下判定閾値を、オルタネータ温度で切り換える特性を示す線図。
【図１３】第２実施形態に適用される目標増加判定閾値，目標低下判定閾値を、オルタネータ温度で切り換える特性を示す線図。
【符号の説明】
【００４４】
１…エンジン、２…スロットルモータ、３…スロットルバルブ、４…燃料噴射弁、５…オルタネータ、１１…エンジンコントロールユニット、１２…エアフローメータ、１３…スロットルセンサ、１４…電流センサ、１５…オルタネータ温度センサ、１６…回転センサ、１７…水温センサ、１８…ニュートラルスイッチ、１９…アイドルスイッチ
【図１】
2005171906.tif 000003
【図２】
2005171906.tif 000004
【図３】
2005171906.tif 000005
【図４】
2005171906.tif 000006
【図５】
2005171906.tif 000007
【図６】
2005171906.tif 000008
【図７】
2005171906.tif 000009
【図８】
2005171906.tif 000010
【図９】
2005171906.tif 000011
【図１０】
2005171906.tif 000012
【図１１】
2005171906.tif 000013
【図１２】
2005171906.tif 000014
【図１３】
2005171906.tif 000015